(57)【要約】【課題】  簡単な構成で確実に静電気をアースへ逃がすことができるようにする。【解決手段】  液晶表示装置２０は、電子機器３０に固定される回路基板２２と、この回路基板２２に実装される液晶ディスプレイ２４と、アース部材２６とを備えている。液晶ディスプレイ２４は、回路基板２２に接続される接続端子を有しており、アース部材２６は、少なくともこの接続端子を前方から覆うように配置されるものである。そして、アース部材２６には、前記回路基板２２が前記電子機器３０に固定される状態において当該電子機器３０の接地部分であるプレート３２に接触するアース接触部２６ｂが設けられており、この接触によってアース部材２６が接地されている。【選択図】      図２
2006106622.tif 000002
【特許請求の範囲】
【請求項１】
電子機器に固定される回路基板と、この回路基板に接続される接続端子を有し、当該接続により前記回路基板に実装される液晶ディスプレイと、この液晶ディスプレイの少なくとも前記接続端子を前方から覆うように配置され、かつ、接地されるアース部材とを備え、このアース部材には、前記回路基板が前記電子機器に固定される状態において当該電子機器の接地部分に接触するアース接触部が設けられていることを特徴とする液晶表示装置。
【請求項２】
請求項１記載の液晶表示装置において、前記電子機器は、前記液晶ディスプレイが組み込まれる表示パネルに当該液晶ディスプレイが実装された前記回路基板を挟んで固定されるものであり、前記アース接触部は、前記表示パネルと前記電子機器の接地部分とに挟まれた状態で固定されるものであることを特徴とする液晶表示装置。
【請求項３】
請求項２記載の液晶表示装置と、この液晶表示装置の液晶ディスプレイが組み込まれる表示パネルに当該液晶ディスプレイが実装された前記回路基板を挟んで固定される電子機器とを備え、この電子機器は接地部分を有し、この接地部分に前記表示パネルに固定されるパネル固定部が含まれており、このパネル固定部と前記表示パネルとの間に挟み込まれるように前記アース接触部の形状が設定されていることを特徴とする液晶表示機能付電子機器。
【請求項４】
請求項３記載の液晶表示機能付電子機器において、前記回路基板には、前記電子機器の操作を行うためのスイッチ素子と、前記電子機器の操作に関する表示を前記液晶ディスプレイに表示させる表示制御回路とが組み込まれていることを特徴とする液晶表示機能付電子機器。
【発明の詳細な説明】
【技術分野】
【０００１】
本発明は、静電気をアースへ逃がす機能を有した液晶表示装置及び液晶表示機能付電子機器に関するものである。
【背景技術】
【０００２】
従来、液晶表示装置としては、液晶ディスプレイと、この液晶ディスプレイでの文字等の表示を制御する制御回路が形成された回路基板とを備えたものが知られており、この液晶表示装置の液晶ディスプレイが、開口が形成された表示パネルにその開口から露出するように組み込まれることが行われている。
【０００３】
この液晶表示装置においては、前記表示パネルの開口から露出する液晶ディスプレイに対し、静電気が帯電したもの（例えば人体の指先）が近づくと、その静電気が液晶ディスプレイから前記回路基板へ伝わって、回路基板に形成された制御回路に高圧電流が流れ、その制御回路中に設けられたＩＣ等に悪影響を与えるおそれがある。そこで、前記静電気が回路基板へ伝わることを防止するために、液晶ディスプレイの少なくとも端子部分を導電性のカバーで覆うとともに、このカバーを接地するようにしたものも知られている。
【０００４】
例えば、特許文献１には、回路基板にアース回路を形成し、このアース回路にカバーを半田付けした液晶表示装置が開示されている。
【特許文献１】特開２００３−２４８２３４号公報
【発明の開示】
【発明が解決しようとする課題】
【０００５】
しかしながら、このような液晶表示装置では、回路基板に前記カバーを接地するための専用のアース回路を設けなければならず、これがコストアップになるとともに基板面積削減の妨げとなっていた。また、前記アース回路をアースに接続した上で、そのアース回路にカバーのアース接続部を半田付けで接続するので、その接続箇所が多く、作業が面倒であるとともにカバーの接地信頼性の向上も難しい。
【０００６】
本発明は、このような事情に鑑み、簡単な構成で確実に静電気をアースへ逃がすことができるようにすることを目的とする。
【課題を解決するための手段】
【０００７】
請求項１に係る発明は、電子機器に固定される回路基板と、この回路基板に接続される接続端子を有し、当該接続により前記回路基板に実装される液晶ディスプレイと、この液晶ディスプレイの少なくとも前記接続端子を前方から覆うように配置され、かつ、接地されるアース部材とを備え、このアース部材には、前記回路基板が前記電子機器に固定される状態において当該電子機器の接地部分に接触するアース接触部が設けられていることを特徴とする液晶表示装置である。
【０００８】
請求項２に係る発明は、請求項１記載の液晶表示装置において、前記電子機器は、前記液晶ディスプレイが組み込まれる表示パネルに当該液晶ディスプレイが実装された前記回路基板を挟んで固定されるものであり、前記アース接触部は、前記表示パネルと前記電子機器の接地部分とに挟まれた状態で固定されるものであることを特徴とするものである。
【０００９】
請求項３に係る発明は、請求項２記載の液晶表示装置と、この液晶表示装置の液晶ディスプレイが組み込まれる表示パネルに当該液晶ディスプレイが実装された前記回路基板を挟んで固定される電子機器とを備え、この電子機器は接地部分を有し、この接地部分に前記表示パネルに固定されるパネル固定部が含まれており、このパネル固定部と前記表示パネルとの間に挟み込まれるように前記アース接触部の形状が設定されていることを特徴とする液晶表示機能付電子機器である。
【００１０】
本発明における回路基板としては、例えば、請求項４に係る発明のように、前記電子機器の操作を行うためのスイッチ素子と、前記電子機器の操作に関する表示を前記液晶ディスプレイに表示させる表示制御回路とが組み込まれたものを採用することができる。
【発明の効果】
【００１１】
請求項１に係る発明によれば、液晶ディスプレイの少なくとも接続端子を前方から覆うアース部材には、回路基板が固定される電子機器の接地部分に接触するアース接触部が設けられているので、回路基板にアース部材専用のアース回路を形成することなく元来接地部分を有する電子機器を利用してアース部材を接地することができる。しかも、アース接触部は、回路基板が電子機器に固定される状態において当該電子機器の接地部分に接触するようになっているので、回路基板を電子機器に固定するだけでアース接触部を接地することができるため、それらを接続するための半田付け等の作業を省略することができるとともにその半田による接続箇所が少なくなる分接地信頼性を向上させることができる。従って、簡単な構成で確実に静電気をアースへ逃がすことができるようになる。
【００１２】
請求項２に係る発明によれば、アース接触部は、電子機器が固定される表示パネルと電子機器の接地部分とに挟まれて固定されるものであるので、電子機器が表示パネルに固定される構造を利用して電子機器の接地部分とアース接触部とを簡単に接触させることができるとともに、電子機器を固定するだけでアース接触部をも固定することができる。
【００１３】
ここで、請求項３に係る発明のように、上述した構成の液晶表示装置と、この液晶表示装置の液晶ディスプレイが組み込まれる表示パネルに当該液晶ディスプレイが実装された前記回路基板を挟んで固定される電子機器とを備えた液晶表示機能付電子機器において、この電子機器が有する接地部分に前記表示パネルに固定されるパネル固定部が含まれており、このパネル固定部と前記表示パネルとの間に挟み込まれるように前記アース接触部の形状が設定されていれば、電子機器のパネル固定部を表示パネルに固定するだけでアース接触部と当該パネル固定部すなわち接地部分とが接触した状態でアース接触部と電子機器の両者を固定することができる。
【発明を実施するための最良の形態】
【００１４】
以下、本発明を実施するための最良の形態について、図面を参照しながら詳細に説明する。
【００１５】
図１及び図２に、本発明の液晶表示装置２０を備えた液晶表示機能付電子機器１０が表示パネル４０の裏面に取付けられた状態を示す。
【００１６】
前記液晶表示機能付電子機器１０は、前記表示パネル４０の所定位置に設けられた開口４０ａから前記液晶表示装置２０の後述する液晶ディスプレイ２４が露出するように表示パネル４０に取付けられている。
【００１７】
この液晶表示機能付電子機器１０は、前記液晶表示装置２０と、この液晶表示装置２０の裏面側に配設される電子機器３０とを備えている（図３参照）。そして、前記液晶表示装置２０が前記電子機器３０に固定され、この電子機器３０が前記表示パネル４０の裏面に突設された複数の支持部４２にネジ５０で固定されている。
【００１８】
前記各支持部４２は、前記電子機器３０を前記表示パネル４０の裏面から離間した位置で支持するためのものであり、これにより前記電子機器３０と表示パネル４０の裏面との間に空間が形成され、この空間内に前記液晶表示装置２０が配設されている。
【００１９】
これらの支持部４２は、それぞれ適所に配置され、前記表示パネル４０の裏面から所定長さ後方に延びている。また、その端面４２ａは、前記表示パネル４０の裏面と略平行な平坦な面に形成され、この端面４２ａに前記電子機器３０が当接するようになっているとともに、この端面４２ａには、前記ネジ５０が螺合可能なネジ孔４２ｂが設けられている。
【００２０】
前記電子機器３０は、例えばオーディオ等であり、箱状の本体部３４と、この本体部３４の前側端部に連設されるプレート３２とを備えている。
【００２１】
前記プレート３２は、導電性の材料からなって電子機器３０の接地部分を構成するものであり、図示はしないが配線等により接地されている。
【００２２】
このプレート３２は、横方向に延びる略矩形状をなしており、左右両端部には、前記液晶表示装置３０を左右方向から挟持する一対の挟持片３６が前方に延びるように設けられている。なお、この挟持片３６は、前記液晶表示装置３０をプレート３２の前面から少し離れた位置で挟持するように段付形状に形成されている。
【００２３】
また、プレート３２の左右両端部の上部には前記表示パネル４０の支持部４２に固定されるパネル固定部３２ａが設けられ、その下端部にも同じく表示パネル４０の支持部４２に固定されるパネル固定部３２ｂが設けられている。これらのパネル固定部３２ａ，３２ｂは、前記支持部４２の端面４２ａに当接可能な形状に形成されている。なお、それらのパネル固定部３２ａ，３２ｂのうち左上（図３では右上）のパネル固定部３２ａは、後述する液晶表示装置２０のパネル部材２６のアース接触部２６ｂを介して前記支持部４２の端面４２ａに当接するようになっている。
【００２４】
そして、上部のパネル固定部３２ａには、前記支持部４２のネジ孔４２ｂに対応する位置に前記ネジ５０が挿通可能な貫通孔３２ｃが上下に並んで形成され、下部のパネル固定部４２ｂにも、同じく前記支持部４２のネジ孔４２ｂに対応する位置にネジ５０が挿通可能な貫通孔３２ｄが形成されている。
【００２５】
前記液晶表示装置２０は、図４に示すように、回路基板２２と、この回路基板２２に実装される液晶ディスプレイ２４と、この液晶ディスプレイ２４の前方に配設される導電性のアース部材２６とを備えている。そして、前記回路基板２２が前記電子機器３０の挟持片３６に挟持されることで、液晶表示装置２０が電子機器３０に固定されるようになっている。
【００２６】
前記回路基板２２には、適所に前記電子機器３０の操作を行うためのスイッチ素子２２ａが組み込まれており、このスイッチ素子２２は、前記表示パネル４０に設けられた小窓４０ｂに嵌め込まれるボタン等に連動してスイッチングを行うようになっている。
【００２７】
また、前記回路基板２２には、前記電子機器３０の操作に関する表示を前記液晶ディスプレイ２４に表示させる表示制御回路（図示せず）が形成されている。この回路基板２２としては、絶縁基板の片面または両面に導体パターンをプリント形成するプリント回路基板を採用することができる。
【００２８】
前記液晶ディスプレイ２４は、横方向に延びる矩形状をなしており、その上端部には前記回路基板２２に接続される複数の接続端子２４ａが並んで設けられている。そして、この接続端子２４ａが前記回路基板２２に半田付け等で接続されることにより、液晶ディスプレイ２４が回路基板２２に実装されるようになっている。
【００２９】
前記アース部材２６は、液晶ディスプレイ２４の周縁部を前方から覆う平板枠状の本体部２６ａと、この本体部２６ａの左辺部分の上端部に連設されるアース接触部２６ｂとを有している。そして、前記本体部２６ａの上辺部分で前記液晶ディスプレイ２４の接続端子２４ａを覆っている。
【００３０】
前記本体部２６ａの上辺部分の左右両端部及び下辺部分の中央部には、当該本体部２６ａの裏面から略垂直に突出する突出片２６ｆが設けられ、これらの突出片２６ｆが前記液晶ディスプレイ２４の側面を上下方向から挟み込むことで、アース部材２６と液晶ディスプレイ２４との相対位置が決められるようになっている。
【００３１】
前記アース接触部２６ｂは、前記回路基板２２が前記電子機器３０に固定された状態で前記電子機器３０の接地部分であるプレート３２と接触することでアース部材２６を接地するようになっている。具体的には、このアース接触部２６ｂは、前記プレート３２のパネル固定部３２ａ，３２ｂのうち左上（図３では右上）のパネル固定部３２ａと接触するようになっており、電子機器３０が表示パネル３０の裏面に取付けられたときには、このパネル固定部３２ａと前記表示パネル４０の支持部４２の端面４２ａとの間に挟み込まれるようになっている（図２参照）。
【００３２】
より詳しくは、このアース接触部２６ｂは、アース部材２６の左辺部分の上端部から前記回路基板２２の脇を通過して後方に向かって延びる基部２６ｃと、その先端で前記プレート３２の前面と平行な方向を向くように折り曲げ形成された先端部２６ｄとで構成されている。
【００３３】
前記先端部２６ｄは、前記プレート３２の左上のパネル固定部３２ａと略合致する大きさに形成されており、この先端部２６ｄの裏面が前記パネル固定部３２ａの前面に面接触するようになっている。また、この先端部２６ｄには、前記パネル固定部３２ａに形成された貫通孔３２ｃと合致する位置に前記ネジ５０が挿通可能な切り込み２６ｅが設けられて、当該先端部２６ｄは櫛状になっている。
【００３４】
そして、このアース接触部２６ｂの先端部２６ｄが前記パネル固定部３２ａに面接触した状態で、当該パネル固定部３２ａの貫通孔３２ｃ及び前記先端部２６ｄの切り込み２６ｅを通じて前記ネジ５０のネジ部５０ｂが前記支持部４２のネジ孔４２ｂに螺合されることにより、前記ネジ５０の頭部５０ａと前記支持部４２の端面４２ａとで前記パネル固定部３２ａ及び先端部２６ｄが挟み込まれて固定されるようになっている。
【００３５】
このアース接触部２６ｂを有したアース部材２６は、導電性の金属板等をプレス成形することで簡単に形成することができる。
【００３６】
以上のように構成された液晶表示装置２０では、表示パネル４０の前方から静電気が帯電したもの（例えば人体の指先）が近づいたときには、その静電気は、液晶表示装置２０のアース部材２６の本体部２６ａに伝わり、このアース部材２６のアース接触部２６ｂ及び電子機器３０の接地部分であるプレート３２を介してアースへ逃げることになる。
【００３７】
このように、本実施形態の液晶表示装置２０では、アース部材２６のアース接触部２６ｂを電子機器３０の接地部分であるプレート３２に接触させるようにしたので、回路基板２２にアース部材２６専用のアース回路を形成することなく元来接地部分を有する電子機器３０を利用してアース部材２６を接地することができる。しかも、アース接触部２６ｂは、回路基板２２が電子機器３０に固定される状態において当該電子機器３０のプレート３２に接触するようになっているので、回路基板２２を電子機器３０に固定するだけでアース接触部２６ｂを接地することができるため、それらを接続するための半田付け等の作業を省略することができるとともにその半田による接続箇所が少なくなる分接地信頼性を向上させることができる。従って、簡単な構成で確実に静電気をアースへ逃がすことができるようになる。
【００３８】
さらに本実施形態の液晶表示装置２０では、アース部材２６のアース接触部２６ｂを電子機器３０のプレート３２のパネル固定部３２ａと表示パネル４０の支持部４２とに挟まれる形状に形成したので、電子機器３０のパネル固定部３２ａをネジ５０により表示パネル４０の支持部４２に固定するだけでアース接触部２６ｂと当該パネル固定部２３ａとが接触した状態でアース接触部２６ｂと電子機器３０の両者を固定することができるとともに、その固定によってそれらの安定した接触状態を得ることができる。
【００３９】
なお、上述した実施形態では、アース部材２６の本体部２６ａが液晶ディスプレイ２４の周縁部を前方から覆っている形態を示したが、アース部材２６は必ずしも液晶ディスプレイ２４の周縁部を全て覆う必要はなく、少なくとも静電気が伝わり易い前記接続端子２４ａを前方から覆う形状であれば、回路基板２２へ静電気が伝わることを抑制することが可能である。
【００４０】
また、上記実施形態では、アース部材２６のアース接触部２６ｂを電子機器３０のパネル固定部３２ａ，３２ｂのうち左上に位置するパネル固定部３２ａに接触させる形態を示したが、他のパネル固定部３２ａ，３２ｂに接触させるようにしてもよいし、アース接触部２６ｂを設ける位置も適宜変更可能である。また、アース接触部２６ｂの形状も適宜変更可能である。
【００４１】
さらに、アース接触部２６ｂを接触させる部分は、パネル固定部３２ａ，３２ｂに限らず、電子機器３０のプレート３２のどの部分であってもよい。この場合には、アース接触部２６ｂとプレート３２との安定した接触状態を得るために、それら同士を固定することが好ましいが、上記実施形態のようにパネル固定部３２ａと表示パネル４０の支持部４２とでアース接触部２６ｂを挟み込む構造とすれば、簡単な構成で安定した接触状態を得ることができる。
【００４２】
また、回路基板２２は、電子機器３０のプレート３２の挟持片３６に挟持されて固定される必要はなく、プレート３２に直接ネジ止めされて固定されるようにしてもよい。ただし、回路基板２２の裏面から突出する端子等と前記プレート３２との間で絶縁を確保するために、それらの間に絶縁シートを介在させる等することが好ましい。
【００４３】
一方、表示パネル４０の支持部４２は必ずしも必要ではなく、電子機器３０のプレート３２の両端部を前方に折り曲げ形成してこの両端部を表示パネル４０の裏面に当接させることで、プレート３２の中央部と表示パネル４０の裏面とを離間させるようにしてもよい。
【００４４】
また、電子機器３０を表示パネル４０に固定する構造は、ネジ５０による構造だけでなく、各種の固定構造を採用することも可能である。
【図面の簡単な説明】
【００４５】
【図１】本発明の液晶表示機能付電子機器が表示パネルに固定された状態を示す斜視図である。
【図２】図１におけるＩ線断面図である。
【図３】本発明に係るアース部材と回路基板との分解斜視図である。
【図４】本発明に係る回路基板と電子機器との分解斜視図である。
【符号の説明】
【００４６】
１０  液晶表示機能付電子機器
２０  液晶表示装置
２２  回路基板
２２ａ  スイッチ素子
２４  液晶ディスプレイ
２４ａ  接続端子
２６  アース部材
２６ａ  本体部
２６ｂ  アース接触部
３０  電子機器
３２  プレート（接地部分）
３２ａ，３２ｂパネル固定部
４０  表示パネル
４２  支持部
５０  ネジ
【図１】
2006106622.tif 000003
【図２】
2006106622.tif 000004
【図３】
2006106622.tif 000005
【図４】
2006106622.tif 000006